(57)【要約】押し込み式アダプター（１）は、第１端部（８１）と第２端部（８２）とアダプター本体（３）を完全に貫通するボア（７）とを含むアダプター本体（３）と、第１端部（８１）に配置された第１押し込み保持構造（９１）とを含む。第１端部（８１）は第１の空気圧叉は液圧の構成要素に押し込まれるようになっている。押し込み式アダプター（１）は、第２端部（８２）に配置された第２押し込み保持構造（９２）を更に含む。第２端部（８２）は第２の空気圧叉は液圧の構成要素に押し込まれるようになっている。【選択図】図３
2010533828.tif 000002
【特許請求の範囲】
【請求項１】
押し込み式アダプター（１）であって、
第１端部（８１）と、第２端部（８２）と、アダプター本体（３）を完全に貫通するボア（７）とを含むアダプター本体（３）と、
第１端部（８１）に配置された第１押し込み保持構造（９１）であって、第１端部（８１）が第１の空気圧叉は液圧の構成要素に押し込まれるようになっている、第１押し込み保持構造（９１）と、
第２端部（８２）に配置された第２押し込み保持構造（９２）であって、第２端部（８２）が第２の空気圧叉は液圧の構成要素に押し込まれるようになっている、第２押し込み保持構造（９２）とを備える、押し込み式アダプター。
【請求項２】
請求項１記載の押し込み式アダプター（１）において、
アダプター本体（３）は、金属材料で形成される、押し込み式アダプター。
【請求項３】
請求項１記載の押し込み式アダプター（１）において、
アダプター本体（３）は、非金属材料で形成される、押し込み式アダプター。
【請求項４】
請求項１記載の押し込み式アダプター（１）において、
アダプター本体（３）は、軽量材料で形成される、押し込み式アダプター。
【請求項５】
請求項１記載の押し込み式アダプター（１）において、
アダプター本体（３）は、プラスチック材料で形成される、押し込み式アダプター。
【請求項６】
請求項１記載の押し込み式アダプター（１）において、
第１押し込み保持構造（９１）は、
第１端部（８１）においてアダプター本体（３）の外面に環状に形成された第２溝（２０）と、
第２溝（２０）と係合すると共に装置のボアと係合するようになっている固定要素（１７）と、
固定要素（１７）とアダプター本体（３）の外面に形成された環状肩部（１９）との間に捕らえられた第１グリップ要素（１３）であって、押し込み式アダプター（１）を装置のボアに係合しかつ保持するようになっている第１グリップ要素（１３）とを備える、押し込み式アダプター。
【請求項７】
請求項１記載の押し込み式アダプター（１）において、
第１押し込み保持構造（９１）は、
第１端部（８１）においてアダプター本体（３）の外面に環状に形成された第１溝（１４）と、
第１溝（１４）に部分的に嵌合するようになっていると共に装置のボアと密閉的に接触するようになっている第１シール（１２）と、
第１端部（８１）においてアダプター本体（３）の外面に環状に形成された第３溝（３９）と、
第３溝（３９）に部分的に嵌合するようになっていると共に装置のボアと密閉的に接触するようになっている第３シール（２１）とを備える、押し込み式アダプター。
【請求項８】
請求項６記載の押し込み式アダプター（１）において、
第１グリップ要素（１３）は、
アダプター本体（３）の外面に実質的に密閉的に嵌合する環状部材（５１）と、
環状部材（５１）から半径方向外方に実質的に伸びる複数の把持歯（５２）とを備える、押し込み式アダプター。
【請求項９】
請求項８記載の押し込み式アダプター（１）において、
複数の把持歯（５２）は、環状部材（５１）の方へ実質的に傾斜されている、押し込み式アダプター。
【請求項１０】
請求項１記載の押し込み式アダプター（１）において、
第２押し込み保持構造（９２）は、
第２端部（８２）においてアダプター本体（３）の外面に形成された実質的に円錐状の面（２４）と、
実質的に円錐状の面（２４）に隣接して第２端部（８２）に配置された環状肩部（２５）であって、クリップ（２６）を実質的に円錐状の面（２４）に保持するようになっている環状肩部（２５）と、
実質的に円錐状の面（２４）に配置されたクリップ（２６）であって、アダプター本体（３）の第２端部（８２）と係合するクリップ（２６）と、
実質的に円錐状の面（２４）のステップ部分（６）とクリップ（２６）との間に保持されるようになっている第２グリップ要素（３１）であって、実質的に円錐状の面（２４）を超えて環状肩部（２５）と実質的に反対に位置するステップ部分（６）と接する第２グリップ要素（３１）とを備える、押し込み式アダプター。
【請求項１１】
請求項１０記載の押し込み式アダプター（１）において、
第２グリップ要素（３１）は、
アダプター本体（３）の外面に実質的に密閉的に嵌合する環状部材（５６）と、
環状部材（５６）から半径方向外方に実質的に伸びる複数の把持歯（５７）とを備える、押し込み式アダプター。
【請求項１２】
請求項１１記載の押し込み式アダプター（１）において、
複数の把持歯（５７）は、環状部材（５６）の方へ実質的に傾斜されている、押し込み式アダプター。
【請求項１３】
請求項１０記載の押し込み式アダプター（１）において、
クリップ（２６）は、
ヘッド部分（２７）と、
ヘッド部分（２７）から実質的に軸方向に伸びる複数の固定脚部（２８）とを備える、押し込み式アダプター。
【請求項１４】
請求項１０記載の押し込み式アダプター（１）において、
第２グリップ要素（３１）は、
第２端部（８２）の減少した直径部分（３５）に配置されたシール（３４）を備える、押し込み式アダプター。
【請求項１５】
請求項１０記載の押し込み式アダプター（１）において、
環状凹部（３８）を含み、第２の空気圧叉は液圧の構成要素のシールと嵌合かつ係合するようになっているカラー（３７）を備える、押し込み式アダプター。
【請求項１６】
連結デバイスを装置に連結するようになっている押し込み式アダプター（１）であって、
第１端部（８１）と、第２端部（８２）と、アダプター本体（３）を完全に貫通するボア（７）とを含むアダプター本体（３）と、
第１端部（８１）においてアダプター本体（３）の外面に環状に形成された第２溝（２０）と、
第２溝（２０）と係合すると共に装置のボアと係合するようになっている固定要素（１７）と、
固定要素（１７）とアダプター本体（３）の外面に形成された環状肩部（１９）との間に捕らえられた第１グリップ要素（１３）であって、押し込み式アダプター（１）を装置のボアに係合しかつ保持するようになっている第１グリップ要素（１３）とを備える、押し込み式アダプター。
【請求項１７】
請求項１６記載の押し込み式アダプター（１）において、
アダプター本体（３）は、金属材料で形成される、押し込み式アダプター。
【請求項１８】
請求項１６記載の押し込み式アダプター（１）において、
アダプター本体（３）は、非金属材料で形成される、押し込み式アダプター。
【請求項１９】
請求項１６記載の押し込み式アダプター（１）において、
アダプター本体（３）は、軽量材料で形成される、押し込み式アダプター。
【請求項２０】
請求項１６記載の押し込み式アダプター（１）において、
アダプター本体（３）は、プラスチック材料で形成される、押し込み式アダプター。
【請求項２１】
請求項１６記載の押し込み式アダプター（１）において、
第１端部（８１）においてアダプター本体（３）の外面に環状に形成された第１溝（１４）と、
第１溝（１４）に部分的に嵌合するようになっていると共に装置のボアと密閉的に接触するようになっている第１シール（１２）と、
第１端部（８１）においてアダプター本体（３）の外面に環状に形成された第３溝（３９）と、
第３溝（３９）に部分的に嵌合するようになっていると共に装置のボアと密閉的に接触するようになっている第３シール（２１）とを備える、押し込み式アダプター。
【請求項２２】
請求項１６記載の押し込み式アダプター（１）において、
第１グリップ要素（１３）は、
アダプター本体（３）の外面に実質的に密閉的に嵌合する環状部材（５１）と、
環状部材（５１）から半径方向外方に実質的に伸びる複数の把持歯（５２）とを備える、押し込み式アダプター。
【請求項２３】
請求項２２記載の押し込み式アダプター（１）において、
複数の把持歯（５２）は、環状部材（５１）の方へ実質的に傾斜されている、押し込み式アダプター。
【請求項２４】
連結デバイスを装置に連結するようになっている押し込み式アダプター（１）であって、
第１端部（８１）と、第２端部（８２）と、アダプター本体（３）を完全に貫通するボア（７）とを含むアダプター本体（３）と、
第２端部（８２）においてアダプター本体（３）の外面に形成された実質的に円錐状の面（２４）と、
実質的に円錐状の面（２４）に隣接して第２端部（８２）に配置された環状肩部（２５）であって、クリップ（２６）を実質的に円錐状の面（２４）に保持するようになっている環状肩部（２５）と、
実質的に円錐状の面（２４）に配置されたクリップ（２６）であって、アダプター本体（３）の第２端部（８２）と係合するクリップ（２６）と、
実質的に円錐状の面（２４）のステップ部分（６）とクリップ（２６）との間に保持されるようになっている第２グリップ要素（３１）であって、実質的に円錐状の面（２４）を超えて環状肩部（２５）と実質的に反対に位置するステップ部分（６）と接する第２グリップ要素（３１）とを備える、押し込み式アダプター。
【請求項２５】
請求項２４記載の押し込み式アダプター（１）において、
アダプター本体（３）は、金属材料で形成される、押し込み式アダプター。
【請求項２６】
請求項２４記載の押し込み式アダプター（１）において、
アダプター本体（３）は、非金属材料で形成される、押し込み式アダプター。
【請求項２７】
請求項１６記載の押し込み式アダプター（１）において、
アダプター本体（３）は、軽量材料で形成される、押し込み式アダプター。
【請求項２８】
請求項１６記載の押し込み式アダプター（１）において、
アダプター本体（３）は、プラスチック材料で形成される、押し込み式アダプター。
【請求項２９】
請求項２４記載の押し込み式アダプター（１）において、
第２グリップ要素（３１）は、
アダプター本体（３）の外面に実質的に密閉的に嵌合する環状部材（５６）と、
環状部材（５６）から半径方向外方に実質的に伸びる複数の把持歯（５７）とを備える、押し込み式アダプター。
【請求項３０】
請求項２９記載の押し込み式アダプター（１）において、
複数の把持歯（５７）は、環状部材（５６）の方へ実質的に傾斜されている、押し込み式アダプター。
【請求項３１】
請求項２４記載の押し込み式アダプター（１）において、
クリップ（２６）は、
ヘッド部分（２７）と、
ヘッド部分（２７）から実質的に軸方向に伸びる複数の固定脚部（２８）とを備える、押し込み式アダプター。
【請求項３２】
請求項２４記載の押し込み式アダプター（１）において、
第２端部（８２）の減少した直径部分（３５）に配置されたシール（３４）を備える、押し込み式アダプター。
【請求項３３】
請求項２４記載の押し込み式アダプター（１）において、
環状凹部（３８）を含み、第２の空気圧叉は液圧の構成要素のシールと嵌合かつ係合するようになっているカラー（３７）を備える、押し込み式アダプター。
【発明の詳細な説明】
【技術分野】
【０００１】
本発明は、押し込み式アダプターに関するものであり、特に、押し込み式アダプターの両端部に押し込み構造を含む押し込み式アダプターに関するものである。
【背景技術】
【０００２】
空気圧叉は液圧のシステムは、機械動作を実施するために加圧ガス叉は加圧流体を使用する。従って、そのようなシステムは、管及び／叉はホースのネットワークと、随伴する部品を必要とする。そのような部品の一つは、第１の空気圧叉は液圧構成要素を第２の空気圧叉は液圧構成要素に連結するアダプターである。
【発明の概要】
【発明が解決しようとする課題】
【０００３】
アダプターは、様々な理由に対して空気圧叉は液圧のシステムに使用されることができる。アダプターは、可撓性ホースを堅い管に接合できる。アダプターは、異なる大きさ叉はタイプの構成要素を相互に接合できる。アダプターは、有効な構成を可能にする押し込み式嵌合など、組立ての容易性を提供する。
【０００４】
図１は、従来のねじ込み式真鍮製アダプターを示す。従来のねじ込み式真鍮製アダプター１００は、真鍮で形成された実質的に筒状の本体１０１を備える。本体１０１は、第１端部１０２と、第２端部１０３とを含む。第１端部１０２は、第１構成要素の押し込み式部品１０４と係合し、第２端部１０３は、ねじ部分１０５を備える。第１構成要素は、（図示の）カップリングなどのあらゆる態様の空気圧叉は液圧構成要素から成ることができる。ねじ部分１０５は、第２構成要素のねじボア（図示せず）との係合でねじ込まれるようになっている。ねじ係合は、構成要素を接合するための標準な機構であり、強固かつ概ね密封である。
【０００５】
従来のねじ込み式真鍮製アダプター１００は、欠点を有する。真鍮は比較的重く、システムに非常に大きな重さを加える。従来のねじ込み式真鍮製アダプター１００は、真鍮が高価な材料であるので製造するのに高価である。さらに、真鍮にねじ加工することは高価であり、製造プロセスの時間浪費となる。従来のねじ込み式真鍮製アダプター１００及び対応する構成要素の組立てのためにツールが必要となる。さらに、ねじ部分１０５が適切な密閉を形成しないかも知れず、さらには、シール叉はシール材料が密閉結合を達成するために必要かも知れない。ねじ連結は、外れる方向に振動でき、時間が経つにつれて漏洩叉は分離を生じる。
【課題を解決するための手段】
【０００６】
本発明の一態様では、押し込み式アダプターが提供される。押し込み式アダプターは、
第１端部と、第２端部と、アダプター本体を完全に貫通するボアとを含むアダプター本体と、
第１端部に配置された第１押し込み保持構造であって、第１端部が第１の空気圧叉は液圧の構成要素に押し込まれるようになっている、第１押し込み保持構造と、
第２端部に配置された第２押し込み保持構造であって、第２端部が第２の空気圧叉は液圧の構成要素に押し込まれるようになっている、第２押し込み保持構造とを備える。
【０００７】
好ましくは、アダプター本体は、金属材料で形成される。
好ましくは、アダプター本体は、非金属材料で形成される。
好ましくは、アダプター本体は、軽量材料で形成される。
好ましくは、アダプター本体は、プラスチック材料で形成される。
好ましくは、第１押し込み保持構造は、第１端部においてアダプター本体の外面に環状に形成された第２溝と、第２溝と係合すると共に装置のボアと係合するようになっている固定要素と、固定要素とアダプター本体の外面に形成された環状肩部との間に捕らえられた第１グリップ要素であって、押し込み式アダプターを装置のボアに係合しかつ保持するようになっている第１グリップ要素とを備える。
【０００８】
好ましくは、第１押し込み保持構造は、第１端部においてアダプター本体の外面に環状に形成された第１溝と、第１溝に部分的に嵌合するようになっていると共に装置のボアと密閉的に接触するようになっている第１シールと、第１端部においてアダプター本体の外面に環状に形成された第３溝と、第３溝に部分的に嵌合するようになっていると共に装置のボアと密閉的に接触するようになっている第３シールとを備える。
【０００９】
好ましくは、第１グリップ要素は、アダプター本体の外面に実質的に密閉的に嵌合する環状部材と、環状部材から半径方向外方に実質的に伸びる複数の把持歯とを備える。
好ましくは、複数の把持歯は、環状部材の方へ実質的に傾斜されている。
【００１０】
好ましくは、第２押し込み保持構造は、第２端部においてアダプター本体の外面に形成された実質的に円錐状の面と、実質的に円錐状の面に隣接して第２端部に配置された環状肩部であって、クリップを実質的に円錐状の面に保持するようになっている環状肩部と、実質的に円錐状の面に配置されたクリップであって、アダプター本体の第２端部と係合するクリップと、実質的に円錐状の面のステップ部分とクリップとの間に保持されるようになっている第２グリップ要素であって、実質的に円錐状の面を超えて環状肩部と実質的に反対に位置するステップ部分と接する第２グリップ要素とを備える。
【００１１】
好ましくは、第２グリップ要素は、アダプター本体の外面に実質的に密閉的に嵌合する環状部材と、環状部材から半径方向外方に実質的に伸びる複数の把持歯とを備える。
好ましくは、複数の把持歯は、環状部材の方へ実質的に傾斜されている。
【００１２】
好ましくは、クリップは、ヘッド部分と、ヘッド部分から実質的に軸方向に伸びる複数の固定脚部とを備える。
好ましくは、第２グリップ要素は、第２端部の減少した直径部分に配置されたシールを備える。
【００１３】
好ましくは、押し込み式アダプターは、環状凹部を含み、第２の空気圧叉は液圧の構成要素のシールと嵌合かつ係合するようになっているカラーを備える。
本発明の一態様では、押し込み式アダプターが提供される。押し込み式アダプターは、
第１端部と、第２端部と、アダプター本体を完全に貫通するボアとを含むアダプター本体と、
第１端部においてアダプター本体の外面に環状に形成された第２溝と、
第２溝と係合すると共に装置のボアと係合するようになっている固定要素と、
固定要素とアダプター本体の外面に形成された環状肩部との間に捕らえられた第１グリップ要素であって、押し込み式アダプターを装置のボアに係合しかつ保持するようになっている第１グリップ要素とを備える。
【００１４】
好ましくは、アダプター本体は、金属材料で形成される。
好ましくは、アダプター本体は、非金属材料で形成される。
好ましくは、アダプター本体は、軽量材料で形成される。
好ましくは、アダプター本体は、プラスチック材料で形成される。
好ましくは、押し込み式アダプターは、第１端部においてアダプター本体の外面に環状に形成された第１溝と、第１溝に部分的に嵌合するようになっていると共に装置のボアと密閉的に接触するようになっている第１シールと、第１端部においてアダプター本体の外面に環状に形成された第３溝と、第３溝に部分的に嵌合するようになっていると共に装置のボアと密閉的に接触するようになっている第３シールとを備える。
好ましくは、第１グリップ要素は、アダプター本体の外面に実質的に密閉的に嵌合する環状部材と、環状部材から半径方向外方に実質的に伸びる複数の把持歯とを備える。
【００１５】
好ましくは、複数の把持歯は、環状部材の方へ実質的に傾斜されている。
本発明の一態様では、押し込み式アダプターが提供される。押し込み式アダプターは、
第１端部と、第２端部と、アダプター本体を完全に貫通するボアとを含むアダプター本体と、
第２端部においてアダプター本体の外面に形成された実質的に円錐状の面と、
実質的に円錐状の面に隣接して第２端部に配置された環状肩部であって、クリップを実質的に円錐状の面に保持するようになっている環状肩部と、
実質的に円錐状の面に配置されたクリップであって、アダプター本体の第２端部と係合するクリップと、
実質的に円錐状の面のステップ部分とクリップとの間に保持されるようになっている第２グリップ要素であって、実質的に円錐状の面を超えて環状肩部と実質的に反対に位置するステップ部分と接する第２グリップ要素とを備える。
【００１６】
好ましくは、アダプター本体は、金属材料で形成される。
好ましくは、アダプター本体は、非金属材料で形成される。
好ましくは、アダプター本体は、軽量材料で形成される。
好ましくは、アダプター本体は、プラスチック材料で形成される。
好ましくは、第２グリップ要素は、アダプター本体の外面に実質的に密閉的に嵌合する環状部材と、環状部材から半径方向外方に実質的に伸びる複数の把持歯とを備える。
【００１７】
好ましくは、複数の把持歯は、環状部材の方へ実質的に傾斜されている。
好ましくは、クリップは、ヘッド部分と、ヘッド部分から実質的に軸方向に伸びる複数の固定脚部とを備える。
好ましくは、押し込み式アダプターは、第２端部の減少した直径部分に配置されたシールを更に備える。
好ましくは、押し込み式アダプターは、環状凹部を含み、第２の空気圧叉は液圧の構成要素のシールと嵌合かつ係合するようになっているカラーを更に備える。
同じ参照符号が全ての図面において同じ要素を表す。図面は、必ずしも縮尺で製図されないことを理解されるべきである。
【図面の簡単な説明】
【００１８】
【図１】図１は、従来のねじ込み式真鍮製アダプターを示す。
【図２】図２は、本発明の実施例による押し込み式アダプターの一部分を示す。
【図３】図３は、本発明の実施例による、使用のために装備された押し込み式アダプターを示す。
【図４Ａ】図４Ａは、本発明の実施例による第１グリップ要素の詳細を示す。
【図４Ｂ】図４Ｂは、本発明の実施例による第１グリップ要素の詳細を示す。
【図５Ａ】図５Ａは、本発明の実施例による第２グリップ要素の詳細を示す。
【図５Ｂ】図５Ｂは、本発明の実施例による第２グリップ要素の詳細を示す。
【図６】図６は、本発明の実施例による第１の空気圧叉は液圧構成要素と結合した押し込み式アダプターを示す。
【図７】図７は、本発明の実施例による第２の空気圧叉は液圧構成要素と結合した押し込み式アダプターを示す。
【発明を実施するための形態】
【００１９】
図２乃至図７及び以下の説明は、当業者に本発明の最良形態の作り方及び使用方法を開示するための特定の例を示す。発明の原理の開示の目的のために、一般的な特徴が簡略あるいは省略されている。当業者は、本発明の範囲内にあるこれらの実施例から変形を理解するであろう。当業者は、以下に述べられた特徴がさまざまな方法で組み合わされて本発明の多数の変形を形成することができることを理解するであろう。その結果、本発明は、特定の実施例に限定されず、特許請求の範囲及び同等物に限定される。
【００２０】
図２は、本発明の実施例による押し込み式アダプター（a push-in adaptor）１の一部分を示す。押し込み式アダプター１は、この図において使用のために完全には構成されていない。押し込み式アダプター１は、第１端部８１と、第２端部８２と、本体３を完全に貫通するボア７とを含む本体３を有する。第１押し込み保持構造９１が第１端部８１に配置され、第２押し込み保持構造９２が第２端部８２に配置される。第１押し込み保持構造９１及び第２押し込み保持構造９２の双方の利用で、押し込み式アダプター１は、第１の空気圧叉は液圧構成要素及び第２の空気圧叉は液圧構成要素に手ですばやく取り付けられることができる。
【００２１】
押し込み式アダプター１は、空気圧及び液圧のシステムにおいて特定の適応性を有するが、簡略化のため、この後述の記載は、空気圧のシステムに集中する。空気圧のシステムが、例えば、ゴムホース叉は強化ゴムホースなどのホースを典型的に備える空気圧ラインによって互いに連結されることが一般的である。これは、動力及び／叉は制御の目的のために、供給源から供給先まで叉は様々な装置間の空気圧の伝達を可能とする。
【００２２】
押し込み式アダプター１は、例えば、バルブ、バルブアイランド、圧力発生手段、流体作動ツール、産業ロボット叉はコントロールユニットを備える装置に嵌合できる。他の装置が考えられ、記述及び特許請求の範囲の範囲内にある。
【００２３】
第１端部８１及び第２端部８２は、第１の空気圧叉は液圧構成要素６０及び第２の空気圧叉は液圧構成要素７０内に配置されると共に第１の空気圧叉は液圧構成要素６０及び第２の空気圧叉は液圧構成要素７０と密閉的に結合するように構成されている（図６及び図７参照）。第１端部８１及び第２端部８２は、第１の空気圧叉は液圧構成要素６０の第１構成要素ボア６１及び第２の空気圧叉は液圧構成要素７０の第２構成要素ボア７１の中に押し込むように構成されている。第１及び第２構成要素ボア６１、７１は、滑らかで均一であり、例えば、穿孔ボア叉は機械加工ボアから成ることができる。しかしながら、第１及び第２構成要素ボア６１、７１は、結合のために特別な特徴を必要とせず、従って、平滑叉は均一の高水準を必要としない。例えば、第１及び第２構成要素ボア６１及び７１は、鋳造され、成形され、あるいは、本体３の形成中に第１の空気圧叉は液圧構成要素６０及び第２の空気圧叉は液圧構成要素７０に形成されることができる。
【００２４】
ボア７は、本体３の寸法によって決められるように予め決められた形状及び寸法にすることができる。ボア７は、所望であれば、実質的に均一なボアからなることができる。代替的に、ボア７は、図示のように、大きな直径部分８と、小さな直径部分１０と、大きな直径部分８と小さな直径部分１０とを連通する先細部分１１とを含む非均一にすることができる。ボア７の大きな直径部分８及び小さな直径部分１０は、アダプター本体３の大きな本体部分内に形成され、一方、小さな直径部分１０は小さな本体部分内に形成される。
【００２５】
第１端部８１は、第１溝１４、第２溝２０、環状肩部１９、及び、第３溝３９を含む。３つの溝及び肩部は一つの例を構成し、溝及び肩部の数及び配置は必要に応じて変更されることができることを理解されるべきである。
【００２６】
第２端部８２は、環状肩部２５、実質的に円錐状の面２４、ステップ部分６、及び、実質的に環状な凹部３８を有するカラー３７を含む。
図３は、本発明の実施例による、使用のために装備された押し込み式アダプター１を示す。この図では、付加的な構成要素が第１端部８１及び第２端部８２に取り付けられている。第１端部８１は、第１の構成要素６０の第１構成要素ボア６１に押し込んで取り付けられるように形成され、第２端部８２は、第２の構成要素７０の第２構成要素ボア７１に押し込んで取り付けられるように形成される。
【００２７】
第１端部８１は、第１溝１４に実質的に配置された第１シール１２を収容しかつ含む。第１シール１２及び第１溝１４は、予め決められた形状にすることができる。例えば、第１溝１４は、部分的叉は実質的に環状形状にすることができ、第１シール１２は、Ｏ−リングからなることができる。しかしながら、他の形状が考えられ、記述及び特許請求の範囲の範囲内にある。
【００２８】
第１端部８１は、第３溝３９に実質的に配置された第３シール２１を収容しかつ含む。第３シール２１及び第３溝３９は、予め決められた形状にすることができる。例えば、第３溝３９は、部分的叉は実質的に環状形状にすることができ、第３シール２１は、Ｏ−リングからなることができる。代替的に、第３溝３９は、実質的に矩形あるいは丸い隅部を有する実質的に矩形にすることができる。しかしながら、他の形状が考えられ、記述及び特許請求の範囲の範囲内にある。
【００２９】
第１端部８１は、第１グリップ要素１３と協働する固定要素１７を収容しかつ含む。いくつかの実施例における固定要素１７は、環状肩部１９に抗して適所に第１グリップ要素１３を保持する。いくつかの実施例における固定要素１７は、第２溝２０と実質的に係合する舌部分１８を含む。舌部分１８（叉は固定要素１７）及び第２溝２０は、予め決められた形状にすることができる。例えば、第２溝２０は、部分的叉は実質的に矩形にすることができ、舌部分１８（叉は固定要素１７）は、実質的に矩形の横断面のシールからなることができる。しかしながら、他の形状が考えられ、記述及び特許請求の範囲の範囲内にある。
【００３０】
第１グリップ要素１３は、固定要素１７とアダプター本体３に形成された環状肩部１９との間に実質的に保持される。従って、いくつかの実施例における第１グリップ要素１３は、アダプター本体３上に固定される。第１グリップ要素１３は、第１の構成要素６０の第１構成要素ボア６１と係合し（図６参照）、押し込み式アダプター１を第１構成要素ボア６１に保持する。本発明の実施例によるグリップ要素及びシール要素は、高圧において固定連結を提供するように設計できることが意外にわかった。第１グリップ要素１３は、図４Ａ−４Ｂ及び以下の添付の説明でより詳細に開示される。
【００３１】
第２端部８２は、シール３４、クリップ２６、及び、第２グリップ要素３１を収容しかつ含む。シール３４は、減少した直径部分３５上に収容される。いくつかの実施例における減少した直径部分３５は、環状肩部２５を形成する（あるいは環状肩部２５の一部分である）。環状肩部２５は、シール３４が第２端部８２上でさらに動くのを防止する。シール３４は、前述のように、あらゆるシールの態様及び形状からなることができる。
【００３２】
クリップ２６は、実質的に円錐状の面２４の少なくとも一部分上に配置され、環状肩部２５とステップ部分６との間に配置される。従って、クリップ２６は、第２端部８２に実質的に固定される。クリップ２６は、第２の構成要素７０の第２構成要素ボア７１と係合する。
【００３３】
クリップ２６は、リング状のヘッド部分２７と、ヘッド部分２７から実質的に軸方向に伸びる複数の固定脚部２８とを含む。いくつかの実施例では、複数の固定脚部２８は、クリップ２６の中心叉は軸線の方へわずかに傾斜する。複数の固定脚部２８は、少なくとも部分的に弾性であり、環状肩部２５を超えて通過するように曲がることができる。ひとたび正しい位置に複数の固定脚部２８が内方に弾性的に動いて固定脚部２８の端部が環状肩部２５と接面すると、第２端部８２上にクリップ２６を保持する（図７参照）。従って、複数の固定脚部２８は、実質的に円錐状の面２４上でクリップ２６を正しい位置に保持する。さらに、複数の固定脚部２８の端部は、第２の構成要素７０の第１肩部７８と接触し、押し込み式アダプター１が第２構成要素ボア７１の中に深く押し込まれるのを防止する。
【００３４】
いくつかの実施例におけるヘッド部分２７は、第２グリップ要素３１と接合し、ヘッド部分２７は、ステップ部分６に抗して第２グリップ要素３１を捕らえる。ヘッド部分２７は、脚部２８を越して半径方向外方に伸び、第２の構成要素７０の第２構成要素ボア７１と相互作用する。クリップ２６のヘッド部分２７は、ボア７１に形成された第２の構成要素７０の第２肩部７９と接合し、第２グリップ要素３１によって第２肩部７９に抗して固定される。
【００３５】
第２グリップ要素３１は、環状肩部２５とステップ部分６との間で実質的に保持され、環状肩部２５及びステップ部分６はアダプター本体３に形成されることができる。従って、いくつかの実施例における第２グリップ要素３１は、本体３に固定される。第２グリップ要素３１は、第２の構成要素７０の第２構成要素ボア７１と係合し、押し込み式アダプター１を第２構成要素ボア７１に保持する。本発明の実施例によるグリップ要素及びシール要素は、高圧において固定連結を提供するように設計できることが意外にわかった。第２グリップ要素３１は、図５Ａ−５Ｂ及び以下の添付の説明でより詳細に開示される。
【００３６】
図４Ａ−４Ｂは、本発明の実施例による第１グリップ要素１３の詳細を示す。前述のように、第１グリップ要素１３は、実質的に環状な形状であり、アダプター本体３の第１端部８１の一部分と嵌合する。第１グリップ要素１３は、中央ボア５０を含む環状部材５１と、環状部材５１から外方に伸びる複数の把持歯５２とを含む。いくつかの実施例における複数の把持歯５２は、第１構成要素ボア６１への押し込み式アダプター１の挿入を可能にする角度に傾斜される。いくつかの実施例における複数の把持歯５２は、押し込み式アダプター１が第１構成要素ボア６１から外れるのに抵抗する角度に傾斜される。しかしながら、複数の把持歯５２は、他の実施例において半径方向外方に実質的に伸びるように、あるいは、予め決められた角度に伸びるように、形状付けられることができる。
【００３７】
複数の把持歯５２は、図示されるように、実質的に先端がとがられていることができる。代替的に、把持歯５２は、円形にされ、四角に削られ、不均整にされ、あるいは、他の所望の形状／構成にすることができる。
【００３８】
複数の把持歯５２は、歯５２に対して予め決められた強度及び剛性を提供するリブ５３をさらに含むことができる。複数のリブ５３は、その環状部分から伸びることができる。複数の把持歯５２及び環状部材５１は、同じ叉は異なる材料で形成されることができる。
【００３９】
複数の把持歯５２は、その材料が環状部材５１に結合叉は接合されるように形成されることができる。第１グリップ要素１３の一部分は、部分的に半径方向内方に環状部材５１を超えて伸び、固定要素１７と第１端部８１の環状肩部１９との間に捕らえられる環状拡張部５４を形成する。
【００４０】
図５Ａ−５Ｂは、本発明の実施例による第２グリップ要素３１の詳細を示す。前述のように、第２グリップ要素３１は、実質的に環状な形状であり、アダプター本体３の第２端部８２の一部分と嵌合する。第２グリップ要素３１は、中央ボア５５を含む環状部材５６と、環状部材５６から外方に伸びる複数の把持歯５７とを含む。いくつかの実施例における複数の把持歯５７は、第２構成要素ボア７１への押し込み式アダプター１の挿入を可能にする角度に傾斜される。いくつかの実施例における複数の把持歯５７は、押し込み式アダプター１が第２構成要素ボア７１から外れるのに抵抗する角度に傾斜される。しかしながら、複数の把持歯５７は、他の実施例において半径方向外方に実質的に伸びるように、あるいは、予め決められた角度に伸びるように、形状付けられることができる。
【００４１】
複数の把持歯５７は、図示されるように、実質的に先端がとがられていることができる。代替的に、把持歯５７は、円形にされ、四角に削られ、不均整にされ、あるいは、他の所望の形状／構成にすることができる。
【００４２】
複数の把持歯５７は、歯５７に対して予め決められた強度及び剛性を提供するリブ５８をさらに含むことができる。複数のリブ５８は、その環状部分から伸びることができる。複数の把持歯５７及び環状部材５６は、同じ叉は異なる材料で形成されることができる。
【００４３】
図６は、本発明の実施例による第１の空気圧叉は液圧構成要素６０と結合した押し込み式アダプター１を示す。第１構成要素６０は、空気圧叉は液圧の装置、コンポーネント、管、器具等のあらゆる態様からなる。第１構成要素６０は、第１構成要素ボア６１を含む。前述のように、第１構成要素ボア６１は、実質的に滑らかにすることができ、押し込み式アダプター１と結合するためにねじ切り、溝切り、あるいは他の構造的特徴を必要としない。ボア６１は、鋳造金属で形成されることができ、直線壁、平行壁あるいは直線及び平行壁を備えることができる。アダプター１が第１グリップ要素１３によって固定的に保持されるので、第１構成要素６０は、ねじ山付きボアを必要としない。これは、高圧でさえ達成できる。これは、結合する装置の結合を容易にする。ねじ切りが必要とされないので製造コストが下げられる。また、これは、構成要素がねじ山を支持しなくてよいので、高価でない材料を使用されることを許容する。
【００４４】
図において、押し込み式アダプター１は、第１構成要素６０と完全に結合されている。その結果、押し込み式アダプター１の第１端部８１は、完全に第１構成要素ボア６１内に存在する。第１構成要素ボア６１が第１端部８１よりも深いことに留意されるべきである。
【００４５】
第１シール１２、固定要素１７、第１グリップ要素１３、及び、第３シール２１が全てアダプター本体３と第１構成要素６０との間で少なくとも部分的に圧縮されると共にアダプター本体３及び第１構成要素６０に密閉的に結合されていることが図面から理解できる。第３シール２１は、第１シール１２及び第１グリップ要素１３に干渉するかもしれないダスト叉は汚物の侵入を防止するためにボア６１に対して追加的に密閉することができる。第１グリップ要素１３（及び他の構成要素）は、第１構成要素ボア６１からの第１端部８１の取り外れに抵抗しかつ取り外れを防止する。さらに、複数の構成要素が押し込み式アダプター１の揺動を防止し、しっかりとした結合連結を提供し、漏出が発生しないのを確実にする。
【００４６】
図７は、本発明の実施例による第２の空気圧叉は液圧構成要素７０と結合した押し込み式アダプター１を示す。第２構成要素７０は、空気圧叉は液圧の装置、コンポーネント、管、器具等のあらゆる態様からなる。第２構成要素７０は、第２構成要素ボア７１を含む。前述のように、第２構成要素ボア７１は、実質的に滑らかにすることができ、押し込み式アダプター１と結合するためにねじ切り、溝切り、あるいは他の構造的特徴を必要としない。また、いくつかの実施例では、第２構成要素ボア７１は、押し込み式アダプター１の第２端部８２と結合するために段状になっている。ねじ山付きボアは第２構成要素７０に必要とされない。これは、高圧でさえ達成できる。これは、結合する装置の結合を容易にする。ねじ切りが必要とされないので製造コストが下げられる。また、これは、構成要素がねじ山を支持しなくてよいので、高価でない材料を使用されることを許容する。
【００４７】
図において、押し込み式アダプター１は、第２構成要素７０と完全に結合されている。その結果、押し込み式アダプター１の第２端部８２は、完全に第２構成要素ボア７１内に存在する。第２構成要素ボア７１が第２端部８２よりも深いことに留意されるべきである。
【００４８】
シール３４、及び、第２グリップ要素３１が全てアダプター本体３と第２構成要素７０との間で少なくとも部分的に圧縮されると共にアダプター本体３及び第２構成要素７０に密閉的に結合されていることが図面から理解できる。さらに、クリップ２６が第２構成要素７０の第２肩部７９と実質的に接合している。第２グリップ要素３１は、第２構成要素ボア７１からの第２端部８２の取り外れに抵抗しかつ取り外れを防止する。脚部２８は、過挿入を防止するために第２構成要素７０の第１肩部７８と接触する。
【００４９】
さらに、環状の構成要素部分７６は、カラー３７の環状凹部３８に収容されることができる。関係するシール７７は、環状の構成要素部分７６と環状凹部３８の一部分との間に密閉接触を提供することができる。シール４１は、第１グリップ要素１３及び第１シール１２の一体性に悪影響を及ぼす汚物叉は異物粒子の侵入を防止する。複数の構成要素が押し込み式アダプター１の揺動を防止し、しっかりとした結合連結を提供し、漏出が発生しないのを確実にする。さらに、複数の構成要素は、大きな力を必要とせずに押し込み式アダプター１の滑り叉は取り外れを防止する。
【図１】
2010533828.tif 000003
【図２】
2010533828.tif 000004
【図３】
2010533828.tif 000005
【図４Ａ】
2010533828.tif 000006
【図４Ｂ】
2010533828.tif 000007
【図５Ａ】
2010533828.tif 000008
【図５Ｂ】
2010533828.tif 000009
【図６】
2010533828.tif 000010
【図７】
2010533828.tif 000011
【国際調査報告】
2010533828.tif 000012
2010533828.tif 000013
2010533828.tif 000014